(57)【要約】      （修正有）【課題】ポイント−マルチポイント型の光伝送方法及び装置において、異常送信位相の光網終端装置を特定して光衝突を防ぐ。【解決手段】マルチポイント側の各光網終端装置(ONUa)に指定した送信許可位相(ta)に対して一定の位相許容範囲(PAR)内で、指定した光網終端装置(ONUa)の識別情報を受信したか否かを判定し、該識別情報を受信しなかったと判定したとき、次に指定した送信許可位相(tb)までの間にいずれかの光網終端装置の識別情報を受信したときには、該受信した識別情報の光網終端装置に対して送信停止命令を送信する。また、各光網終端装置に指定した送信許可位相に対して指定した送信許可時間幅内で、指定した光網終端装置又はいずれかの光網終端装置からの送出データに異常が検出されたとき、該別の光網終端装置に対して送信停止命令を送信すると共にその光網終端装置又は全光網終端装置に対する送信許可時間幅を元に戻す命令を送る。【選択図】図１
2008042809.tif 000002
【特許請求の範囲】
【請求項１】
ポイント−マルチポイント型の光伝送方法において、
マルチポイント側の各光網終端装置に指定した送信許可位相に対して一定の位相許容範囲内で、指定した光網終端装置の識別情報を受信したか否かを判定する第1ステップと、
該第1ステップで該指定した光網終端装置の識別情報を受信しなかったと判定したとき、次に指定した送信許可位相までの間にいずれかの光網終端装置の識別情報を受信したときには、該受信した識別情報の光網終端装置に対して送信停止命令を送信する第2ステップと、
を備えたことを特徴とする光伝送方法。
【請求項２】
ポイント−マルチポイント型の光伝送方法において、
マルチポイント側の各光網終端装置に指定した送信許可位相に対して指定した送信許可時間幅内で、各光網終端装置からの送出データの異常を検出する第1ステップと、
該第1ステップで、いずれかの光網終端装置からの送出データに異常が検出されたとき、全光網終端装置に対して送信許可時間幅低下命令を送信する第2ステップと、
該第2ステップで送信許可時間幅低下命令を送信した後、各光網終端装置に指定した送信許可位相に対して一定の位相許容範囲内で、該指定した光網終端装置の識別情報を受信し且つ次に指定した送信許可位相までの間に別の光網終端装置の識別情報も受信したとき、該別の光網終端装置に対して送信停止命令を送信すると共に全光網終端装置に対する送信許可時間幅を元に戻す命令を送信する第3ステップと、
を備えたことを特徴とする光伝送方法。
【請求項３】
ポイント−マルチポイント型の光伝送方法において、
マルチポイント側の各光網終端装置に指定した送信許可位相に対して一定の位相許容範囲内で、指定した光網終端装置の識別情報を受信したか否かを判定する第1ステップと、
該第1ステップで該指定した光網終端装置の識別情報を受信したと判定した後、次に指定した送信許可位相までの間に該指定した光網終端装置からの送出データに異常が検出されたとき、該指定した光網終端装置に対して送信許可時間幅低下命令を送信する第2ステップと、
該第2ステップで送信許可時間幅低下命令を送信した後、該指定した光網終端装置の識別情報を受信し且つ次に指定した送信許可位相までの間に、別の光網終端装置の識別情報も受信したとき、該別の光網終端装置に対して送信停止命令を送信すると共に該指定した光網終端装置に対する送信許可時間幅を元に戻す命令を送信する第3ステップと、
を備えたことを特徴とする光伝送方法。
【請求項４】
ポイント−マルチポイント型の光伝送装置において、
マルチポイント側の各光網終端装置に指定した送信許可位相に対して一定の位相許容範囲内で、指定した光網終端装置の識別情報を受信したか否かを判定する第1手段と、
該第1手段で該指定した光網終端装置の識別情報を受信しなかったと判定したとき、次に指定した送信許可位相までの間にいずれかの光網終端装置の識別情報を受信したときには、該受信した識別情報の光網終端装置に対して送信停止命令を送信する第2手段と、
を備えたことを特徴とする光伝送装置。
【請求項５】
ポイント−マルチポイント型の光伝送装置において、
マルチポイント側の各光網終端装置に指定した送信許可位相に対して指定した送信許可時間幅内で、該指定した光網終端装置からの送出データの異常を検出する第1手段と、
該第1手段で、いずれかの光網終端装置からの送出データに異常が検出されたとき、全光網終端装置に対して送信許可時間幅低下命令を送信する第2手段と、
該第2手段で送信許可時間幅低下命令を送信した後、各光網終端装置に指定した送信許可位相に対して一定の位相許容範囲内で該指定した光網終端装置の識別情報を受信し且つ次に指定した送信許可位相までの間に別の光網終端装置の識別情報も受信したとき、該別の光網終端装置に対して送信停止命令を送信すると共に全光網終端装置に対する送信許可時間幅を元に戻す命令を送信する第3手段と、
を備えたことを特徴とする光伝送装置。
【発明の詳細な説明】
【技術分野】
【０００１】
本発明は光伝送方法及び装置に関し、特にポイント−マルチポイント型のPON(Passive Optical Network)伝送システムにおけるポイント側での光伝送方法及び装置に関するものである。
【背景技術】
【０００２】
近年、高度情報通信サービスを実現するためにFTTH(Fiber to the Home)に代表されるような光アクセスネットワークの構築が急がれており、中でも大容量のデータ通信を実現し尚かつネットワーク構築の低廉化を図る手段としてPON伝送システムが注目されている。
【０００３】
このようなPON伝送システムの構成例が図10に示されている。このシステムでは、ポイント（局）側の光加入者終端装置OLTが、カプラ20を介して束ねられたマルチポイント側の光網終端装置ONUa, ONUb,・・・, ONUx（以下、符号ONUで総称することがある。）と相互に接続され且つクロック同期が取られている。これら複数の光網終端装置ONUを１つの光加入者終端装置OLTで制御する技術は、ITU-T勧告G.983やG.984に示されている。
【０００４】
そして、光加入者終端装置OLTは、初期設定条件として、各光網終端装置ONUに対して送信許可位相情報TPP及び送信許可時間幅情報TPTをカプラ20を介して送信する。これらの送信許可位相情報TPP及び送信許可時間幅情報TPTを受信した各光網終端装置ONUにおいては、例えば光網終端装置ONUaは、指定された送信許可位相taにおいて光送出（発光）し、また光網終端装置ONUbは、指定された送信許可位相tbにおいて同様に光送出し、そして光網終端装置ONUxは、指定された送信許可位相txにおいて光送出を行うことになる。
【０００５】
光加入者終端装置OLTにおいては、図11に示すように、指定した送信許可位相を中心として、各光網終端装置ONUから送信されて来る光信号を伝送路クロック単位で監視している。例えば、図示のように光加入者終端装置OLTから光網終端装置ONUaに対して指定した送信許可位相taを中心として数クロック分を位相許容範囲PARとし、この位相許容範囲PAR内において光網終端装置ONUaの光送出（発光）が無い場合には無発光（ノーバースト）と判定していた。そして、この位相許容範囲PARの外(NPAR)では、光網終端装置ONUからの光送出の判別はしておらず、光異常送出している光網終端装置ONUを特定することは行っていなかった。
【０００６】
一方、網状態を管理し、異常検出時にユーザーへ状態通知を行い、ユーザーからの問合せに応答する網監視装置と、通信異常処理部とを有し、通信異常検出時に全網終端装置に異常網終端装置番号を通知する加入者線終端装置と、OAM処理部と、ATM多重分離部とPON終端部とSELを有し加入者終端装置からの異常網終端装置番号を基に、網監視装置からの状態通知を、ユーザーに接続し、ユーザーからの障害問合せを網監視装置に接続し、また、障害を受けた網終端装置に対しては予め決められたバックアップ径路を構成し、該径路を介してユーザーへの接続、該ユーザーからの問合せの網監視装置への接続を行う網終端装置とを有する加入者線伝送路異常状態通知方法とそのシステムがある（例えば、特許文献1参照。）。
【０００７】
また、加入者線終端装置と光網終端装置とがスターカップラ及び光ファイバ伝送路で接続され、光信号によるパッシブダブルスター通信などを行い、加入者線終端装置から光網終端装置へ個別的に強制発光指示セルを光ファイバ伝送路及びスターカップラで分岐して送出し、この強制発光指示セルを受信した光網終端装置が強制発光すると共に、この強制発光を加入者線終端装置が受信し、この場合の受信又は非受信に基づいて光ファイバ伝送路スターカップラ又は光網終端装置の個々の障害が発生した箇所を切り分けて検出する光伝送システムにおける障害検出方式がある（例えば、特許文献2参照。）。
【特許文献１】特開平9-224037号公報
【特許文献２】特開平10-93483号公報
【発明の開示】
【発明が解決しようとする課題】
【０００８】
上記のようなPON伝送システムでは、光加入者終端装置からの送信許可位相情報に基づいて光網終端装置が光信号を送出するが、カプラで複数の光網終端装置からの光信号が光多重されるため、光加入者終端装置から送出許可された以外の位相で送出するような異常な光網終端装置が存在した場合、他の正常な光網終端装置の発光と衝突し、通信を妨げてしまうという課題があった。
【０００９】
従って本発明は、ポイント−マルチポイント型の光伝送方法及び装置において、異常な送信位相の光網終端装置を特定し、その発光を停止させて他の正常な光網終端装置との光衝突を防ぐことを目的とする。
【課題を解決するための手段】
【００１０】
[1]上記の目的を達せするため、本発明に係る光伝送方法（又は装置）は、ポイント−マルチポイント型の光伝送方法（又は装置）において、マルチポイント側の各光網終端装置に指定した送信許可位相に対して一定の位相許容範囲内で、指定した光網終端装置の識別情報を受信したか否かを判定する第1ステップ（又は手段）と、該第1ステップ（又は手段）で該指定した光網終端装置の識別情報を受信しなかったと判定したとき、次に指定した送信許可位相までの間にいずれかの光網終端装置の識別情報を受信したときには、該受信した識別情報の光網終端装置に対して送信停止命令を送信する第2ステップ（又は手段）と、を備えたことを特徴としている。
【００１１】
すなわち本発明の第1ステップ（又は手段）では、各光網終端装置に対して送信許可位相を指定し、これに応答して各光網終端装置から光信号が送られて来るとき、この光信号が、図1に示すように例えば光網終端装置ONUa, ONUbに対して指定された送信許可位相ta, tbを中心として数クロック分の一定の位相許容範囲PAR内において、それらの指定した光網終端装置ONUa, ONUbの識別情報を受信したか否かを判定する。
【００１２】
このように第1ステップ（又は手段）で、指定した光網終端装置ONUa, ONUbの識別情報が受信できなかったと判定したときには、第2ステップ（又は手段）において、次に指定した送信許可位相までの間にいずれかの光網終端装置の識別情報を受信したときは、その受信した光網終端装置は誤った送信許可位相で光信号を送信していると判断して、その光網終端装置に対して送信停止命令を送る。
【００１３】
これにより、その送信許可位相が異常な光網終端装置は、その後、送信が停止されるので他の光網終端装置との光衝突を避けることが可能となる。
【００１４】
[2]また、上記の目的を達成するため、本発明に係る光伝送方法（又は装置）は、マルチポイント側の各光網終端装置に指定した送信許可位相に対して指定した送信許可時間幅内で、各光網終端装置からの送出データの異常を検出する第1ステップ（又は手段）と、該第1ステップ（又は手段）で、いずれかの光網終端装置からの送出データに異常が検出されたとき、全光網終端装置に対して送信許可時間幅低下命令を送信する第2ステップ（又は手段）と、該第2ステップ（又は手段）で送信許可時間幅低下命令を送信した後、各光網終端装置に指定した送信許可位相に対して一定の位相許容範囲内で、該指定した光網終端装置の識別情報を受信し且つ次に指定した送信許可位相までの間に別の光網終端装置の識別情報も受信したとき、該別の光網終端装置に対して送信停止命令を送信すると共に全光網終端装置に対する送信許可時間幅を元に戻す命令を送信する第3ステップ（又は手段）と、を備えることが可能である。
【００１５】
すなわち、この場合には、第1ステップ（又は手段）において、指定した送信許可位相に対して指定した送信許可時間幅内で、各光網終端装置（指定された光網終端装置又は指定されていない光網終端装置）からの送信データに異常が発生していないか否かを検出する。
【００１６】
この結果、いずれかの光網終端装置からの送出データに異常が検出された場合には、第2ステップ（又は手段）では、全ての光網終端装置に対して送信許可時間幅低下命令を送信して光信号の送出を抑制する。
【００１７】
このようにして送信許可時間幅が全ての光網終端装置において命令された結果、指定した送信許可位相に対して一定の位相許容範囲内で、指定した光網終端装置の識別情報を受信し且つ次の送信許可位相までの間に別の光網終端装置の識別情報をも受信したときには、第3ステップ（又は手段）では、その別の光網終端装置に対して送信停止命令を送信すると共に、上記の第2ステップ（又は手段）で全ての全光網終端装置に対して送信許可時間幅を低下させていたので、これを元に戻す命令を送信する。
【００１８】
このように、隣接する2つの送信許可位相間において、指定しない光網終端装置からの光信号が入り込んでしまった場合に、これを検出し且つその位相異常を発生している光網終端装置の送信停止を行うことにより光衝突を防止している。
【００１９】
[3]また上記の本発明の目的を達成するため、本発明に係る光伝送方法（又は装置）では、マルチポイント側の各光網終端装置に指定した送信許可位相に対して一定の位相許容範囲内で、指定した光網終端装置の識別情報を受信したか否かを判定する第1ステップ（又は手段）と、該第1ステップ（又は手段）で該指定した光網終端装置の識別情報を受信したと判定した後、次に指定した送信許可位相までの間に該指定した光網終端装置からの送出データに異常が検出されたとき、該指定した光網終端装置に対して送信許可時間幅低下命令を送信する第2ステップ（又は手段）と、該第2ステップ（又は手段）で送信許可時間幅低下命令を送信した後、該指定した光網終端装置の識別情報を受信し且つ次に指定した送信許可位相までの間に、別の光網終端装置の識別情報も受信したとき、該別の光網終端装置に対して送信停止命令を送信すると共に該指定した光網終端装置に対する送信許可時間幅を元に戻す命令を送信する第3ステップ（又は手段）と、を備えることもできる。
【００２０】
すなわち、上記の[2]においては、いずれかの光網終端装置からの送出データに異常が検出されたとき、全ての光網終端装置に対してその送信許可時間幅を低下するように命令したが、この場合[3]では、送信データ異常の前に指定した光網終端装置の識別情報が正常に受信されていることが分かっているので、指定されたその正常な光網終端装置に対してのみ送信許可時間幅を低下させるように命令を送る点が異なっている。
【００２１】
このようにして、送信許可時間幅が短くなった結果、該指定した光網終端装置の識別情報が受信され、且つ次の送信許可位相までの間に別の光網終端装置の識別情報も受信したときには、第3ステップ（又は手段）において、その別の光網終端装置に対して送信停止命令を送ると共に、送信許可時間幅を低下するように命令していた該光網終端装置に対してもその送信許可時間幅を元に戻す命令を送る。
【００２２】
これによっても、隣接する送信許可位相間において、指定されていない光網終端装置の光信号の送出を検出し、且つその送信停止を行うことにより光衝突を回避することが可能となる。
【発明の効果】
【００２３】
以上のように本発明によれば、異常光送出（発光）している光網終端装置を識別し、その発光動作を停止させることによって光衝突を無くし、以って正常な光網終端装置の通信を迅速に回復させることが可能となる。
【発明を実施するための最良の形態】
【００２４】
以下、本発明に係る光伝送方法及び装置の実施例[1]〜[3]を図面に沿って説明するが、これらの実施例は下記の表1のように類型化することができる。
【００２５】
【表１】
2008042809.tif 000003
【００２６】
すなわち、指定位相において光網終端装置からの発光があるか否か、又は指定位相外において光衝突があるか否か、を検出すると共に、位相異常の光網終端装置を識別し、これに対応して送信停止／送信許可時間幅制御を行おうとするものである。
【００２７】
この表1の類型A〜Eに沿って本発明の実施例[1]〜[3]を以下に説明する。
【００２８】
実施例[1]：図2
この実施例では、光加入者終端装置OLTが、上位ブロックから各光網終端装置ONUへのデータと各光網終端装置への送信許可位相情報TTPと各光網終端装置への送信許可時間幅情報TPTと後述する送信停止命令とを多重化する多重化部(MUX)1と、この多重化部1からの電気信号を光信号に変換する電気／光変換(E/O)部2と、この電気／光変換部2からの光信号をカプラ20を介して各光網終端装置ONUへ送るためのカプラ3とで送信系を構成している。
【００２９】
また、この光加入者終端装置OLTの受信系は、カプラ3から受信した光信号を電気信号に変換する光／電気変換(O/E)部4と、各光網終端装置ONUと同期したクロックを発生するメインカウンタ5と、各光網終端装置ONUへの送信許可位相情報TTPとメインカウンタ5のカウント値とにより受信位相許容範囲(PAR)信号を発生するデコーダ6と、光／電気変換部4で検出された光検出信号ODS及び各光網終端装置ONUからのデータ（ONUデータ）とデコーダ6からの受信位相許可範囲(PAR)信号とを受けて無発光状態信号（又はデータ異常信号）を出力するONU識別部7と、デコーダ6から出力される受信位相許可範囲PARから次の送信許可位相までの受信位相許容範囲外(NPAR)信号を発生するインバータ8と、光／電気変換部4からのONUデータ及び光検出信号ODSとONU識別部7からの無発光状態信号とインバータ8からの受信位相許容範囲外(NPAR)信号とを受けて送信停止命令をその位相異常ONU識別情報と共に多重化部1へ送る位相異常実行部9とで構成されている。
【００３０】
このような実施例[1]に含まれる上記の表1に示す類型としては類型A〜Cがあり、それぞれ以下に説明する。
【００３１】
・正常時の動作例（類型A）：図3
これは、図示の通り、全ての光網終端装置ONUが正常にその識別情報及びデータを正常に送出している類型である。すなわち、例えば光網終端装置ONUbについて言えば、その指定された送信許可位相tbから図1に示した受信位相許容範囲PARにおいてその識別情報IDbが検出される。これに続いて光網終端装置ONUbの送出データがその指定された送信許可時間幅TPTだけ継続するので、ONU識別部7からは異常データは発生されず、また位相異常実行部9においても受信位相許容範囲外NPARにおいては何らの異常なONU識別情報は出力されないこととなり、本発明の制御対象外となっている。
【００３２】
・異常時の動作例[1]（類型B）：図4
この類型Bでは、光網終端装置ONUa〜ONUcの内、光網終端装置ONUaのみに異常状態が発生した場合を示している。
【００３３】
すなわち、送信許可位相taでは、光／電気変換部4からは光検出信号ODSは発生されず、また、光／電気変換部4からのONUデータも発生しないので、ONU識別部7は光網終端装置ONUaからの発光は無いことを示す（ノーバースト）信号を出力する（ステップS1）だけであり、これは従来から用いられているのと同様の警報であり、正常な光網終端装置ONUへの通信妨害も無いため、本発明の制御対象外となっている。
【００３４】
・異常時の動作例[2]（類型C）：図5
この類型Cは、図5(1)に示すように、光網終端装置ONUaの位相が異常である場合に対処するものである。
【００３５】
すなわち、光網終端装置ONUaの送信位相は異常であるため、指定された送信許可位相taの受信位相許容範囲PAR内には発光が無い（ステップS1）のは上記の類型Bと同様であるが、このとき、ONU識別部7から無発光状態信号を位相異常実行部9で受ける位相異常実行部9は、光網終端装置ONUaへの送信許可位相taと次に指定された光網終端装置ONUbへの送信許可位相tbとの間の期間(インバータ8により規定される。）内で位相が異常となっている光網終端装置ONUaの識別情報を検出することになる（ステップS2）。
【００３６】
これにより、位相異常実行部9は、そのONU識別情報と共に、送信停止命令を多重化部1及び電気／光変換部2並びにカプラを経由して光網終端装置ONUaに送る。
【００３７】
上記のように位相異常実行部9が光網終端装置ONUaに対して送信停止命令を送ると（ステップS3）、図5(2)に示すように、光網終端装置ONUaからは何らのデータも送られて来ないことになるので（ステップS4）、この位相異常に係る光網終端装置ONUaの送出データによって後続の光網終端装置ONUb及びONUcへの光衝突が無くなり、それぞれの送出データを保証することが可能となる（ステップS5）。
【００３８】
なお、このように光網終端装置ONUaの送信位相が異常であるために、次に指定された光網終端装置ONUbの送信許可位相tbの位相許可範囲PARにおいては光網終端装置ONUbの識別情報IDbが検出されず、ONU識別部7は光衝突による光網終端装置ONUbのデータ異常（ステップS6）として出力し、このデータ異常時を上記のステップS3の送信停止命令の付加条件としてもよい。
【００３９】
実施例[2]：図6
この実施例[2]は、上記の実施例[1]において、CRCチェック部10及び時間幅制御部11を設けた点が異なっている。
【００４０】
すなわち、CRCチェック部10は、各光網終端装置ONUへの送信許可位相情報TTPと送信許可時間幅情報TPTとを受けて、指定された送信許可時間幅において、光／電気変換部4から出力されたONUデータが正常であるか異常であるかを判定し、異常である場合にはCRCエラーを発生するものである。時間幅制御部11は、このCRCエラーを受けて各光網終端装置ONUの送信許可時間幅情報TPTを制御した形で多重化部1へ送る。時間幅制御部11は、位相異常実行部9にも接続されている。
【００４１】
・異常時の動作例（類型D）：図7
まず、この類型Dでは、図7(1)に示すように、光網終端装置ONUb及びONUcは共に正常な光送信を行っているが、やはり光網終端装置ONUaが、他の光網終端装置ONUb並びにONUcに対して誤って異常データを送出してしまった例（ステップS11, S12）を示している。
【００４２】
従って、この場合には、送信許可位相ta及びtbのいずれにおいてもONU識別部7は正常ONU識別情報を位相異常実行部9に与える。
【００４３】
一方、CRCチェック部10は送信許可位相情報TTPと送信許可時間幅情報TPTにより各送信許可位相間内の送信許可時間幅内でデータの正常／異常をチェックしているため、図7(1)のステップS11に示すように、光網終端装置ONUaに異常データ送出があり、これにより正常な光網終端装置ONUbの送出データに異常が発生した場合、これはCRCエラーとして時間幅制御部11に送られる。
【００４４】
このように光衝突による光網終端装置ONUbのデータ異常発生をCRCエラーとして受けた時間幅制御部11は、全ての光網終端装置ONUに対してその送信許可時間幅TPTを下げる命令を与える（ステップS13）。これは多重化部1及び電気／光変換部2並びにカプラ3を経由して実行される。
【００４５】
これにより、各光網終端装置ONUからの送信許可時間幅は短くなるので、図7(2)に示すようなタイムチャートになる。
【００４６】
この結果、送信許可位相tbとtcとの間においては、光網終端装置ONUbへの送信許可時間幅が短くなったため、同図(1)では見えなかった異常位相に係る光網終端装置ONUaの識別情報IDaが見える形となり、これは、位相異常実行部9において検出される（ステップS14）。そこで、位相異常実行部9は、光網終端装置ONUaに対して送信停止命令を送ると共に、時間幅制御部11を介して、全ての光網終端装置ONUa〜xに対して元の時間幅に戻すように命令を送る（ステップS15）。
【００４７】
この結果、図7(3)に示すように異常位相の光網終端装置ONUaからは何らの光信号も発生されず無発光状態となり（ステップS16）、後続の光網終端装置ONUb及びONUcとの光衝突が無くなり、それぞれのデータを保障することが可能となる（ステップS17）。
【００４８】
なお、この類型においても、ステップS12におけるデータ異常については処理対称としていないが、このデータ異常時を付加条件としてもよい。
【００４９】
実施例[3]：図8
この実施例は、図6に示した実施例[2]において、ONU識別部7から発生される正常ONU識別情報を時間幅制御部10に対しても与えている点が異なっており、これを以下の類型Eとして説明する。
【００５０】
・異常時の動作例（類型E）：図9
まず、この場合の異常状態が図9(1)に示されており、やはり位相異常の光網終端装置ONUaが位相異常状態にあるものであり、この位相異常に係る光網終端装置ONUaの光信号が次の送信許可位相tb及びtcとの間に発生した状態を示している。なお、この場合には上記の類型D（図7(1)参照）のように更に次の光網終端装置ONUcまでこの光網終端装置ONUaの異常データが継続している状態は示していないが、以下の動作に示すように、この光網終端装置ONUcに対して光衝突が発生した場合も同様に扱うことが可能である。
【００５１】
まず、この図9(1)に示すように、光網終端装置ONUbの送出データと光網終端装置ONUaの送出データとが光衝突によりデータ異常が発生したことはCRCチェック部10において検出される（ステップS21）。
【００５２】
但し、この実施例[3]においては、ONU識別部7において、送信許可位相tbの送信許容範囲PARにおいて光網終端装置ONUbの識別情報IDbが検出されているので、この正常な光網終端装置ONUbのONU識別情報IDbを時間幅制御部11へ送る。時間幅制御部11はCRCチェック部10からのCRCエラーとONU識別部7からの正常ONU識別情報IDbとを受けて、正常な光網終端装置ONUbのみの送信許可時間幅TPTを下げる命令を多重化部1と電気／光変換部2とカプラ3並びに20を経由して送る（ステップS22）。
【００５３】
この結果、図9(2)に示すように、光網終端装置ONUbに対して指定された送信許可時間幅TPTのみが狭くなるので、図示のように、その後に続く光網終端装置ONUaの異常送出データが見える形となり、位相異常実行部9は、受信位相許容範囲外NPARにおいて光網終端装置ONUaが位相異常であることを検出し（ステップS23）、その光網終端装置ONUaに対して送信停止命令を送信する（ステップS24）。
【００５４】
このようにして、図9(3)に示すように、光網終端装置ONUaの送信許可位相taにおいては無発光状態となり（ステップS25）、その後に送られて来る光網終端装置ONUb及びONUcの送出データに対しては光衝突が無くなり、そのデータを保証することが可能となる（ステップS26）。
【００５５】
なお、本発明は、上記実施例によって限定されるものではなく、特許請求の範囲の記載に基づき、当業者によって種々の変更が可能なことは明らかである。
【００５６】
（付記１）
ポイント−マルチポイント型の光伝送方法において、
マルチポイント側の各光網終端装置に指定した送信許可位相に対して一定の位相許容範囲内で、指定した光網終端装置の識別情報を受信したか否かを判定する第1ステップと、
該第1ステップで該指定した光網終端装置の識別情報を受信しなかったと判定したとき、次に指定した送信許可位相までの間にいずれかの光網終端装置の識別情報を受信したときには、該受信した識別情報の光網終端装置に対して送信停止命令を送信する第2ステップと、
を備えたことを特徴とする光伝送方法。
（付記２）
ポイント−マルチポイント型の光伝送方法において、
マルチポイント側の各光網終端装置に指定した送信許可位相に対して指定した送信許可時間幅内で、各光網終端装置からの送出データの異常を検出する第1ステップと、
該第1ステップで、いずれかの光網終端装置からの送出データに異常が検出されたとき、全光網終端装置に対して送信許可時間幅低下命令を送信する第2ステップと、
該第2ステップで送信許可時間幅低下命令を送信した後、各光網終端装置に指定した送信許可位相に対して一定の位相許容範囲内で、該指定した光網終端装置の識別情報を受信し且つ次に指定した送信許可位相までの間に別の光網終端装置の識別情報も受信したとき、該別の光網終端装置に対して送信停止命令を送信すると共に全光網終端装置に対する送信許可時間幅を元に戻す命令を送信する第3ステップと、
を備えたことを特徴とする光伝送方法。
（付記３）
ポイント−マルチポイント型の光伝送方法において、
マルチポイント側の各光網終端装置に指定した送信許可位相に対して一定の位相許容範囲内で、指定した光網終端装置の識別情報を受信したか否かを判定する第1ステップと、
該第1ステップで該指定した光網終端装置の識別情報を受信したと判定した後、次に指定した送信許可位相までの間に該指定した光網終端装置からの送出データに異常が検出されたとき、該指定した光網終端装置に対して送信許可時間幅低下命令を送信する第2ステップと、
該第2ステップで送信許可時間幅低下命令を送信した後、該指定した光網終端装置の識別情報を受信し且つ次に指定した送信許可位相までの間に、別の光網終端装置の識別情報も受信したとき、該別の光網終端装置に対して送信停止命令を送信すると共に該指定した光網終端装置に対する送信許可時間幅を元に戻す命令を送信する第3ステップと、
を備えたことを特徴とする光伝送方法。
（付記４）
ポイント−マルチポイント型の光伝送装置において、
マルチポイント側の各光網終端装置に指定した送信許可位相に対して一定の位相許容範囲内で、指定した光網終端装置の識別情報を受信したか否かを判定する第1手段と、
該第1手段で該指定した光網終端装置の識別情報を受信しなかったと判定したとき、次に指定した送信許可位相までの間にいずれかの光網終端装置の識別情報を受信したときには、該受信した識別情報の光網終端装置に対して送信停止命令を送信する第2手段と、
を備えたことを特徴とする光伝送装置。
（付記５）
ポイント−マルチポイント型の光伝送装置において、
マルチポイント側の各光網終端装置に指定した送信許可位相に対して指定した送信許可時間幅内で、該指定した光網終端装置からの送出データの異常を検出する第1手段と、
該第1手段で、いずれかの光網終端装置からの送出データに異常が検出されたとき、全光網終端装置に対して送信許可時間幅低下命令を送信する第2手段と、
該第2手段で送信許可時間幅低下命令を送信した後、各光網終端装置に指定した送信許可位相に対して一定の位相許容範囲内で該指定した光網終端装置の識別情報を受信し且つ次に指定した送信許可位相までの間に別の光網終端装置の識別情報も受信したとき、該別の光網終端装置に対して送信停止命令を送信すると共に全光網終端装置に対する送信許可時間幅を元に戻す命令を送信する第3手段と、
を備えたことを特徴とする光伝送装置。
（付記６）
ポイント−マルチポイント型の光伝送装置において、
マルチポイント側の各光網終端装置に指定した送信許可位相に対して一定の位相許容範囲内で、指定した光網終端装置の識別情報を受信したか否かを判定する第1手段と、
該第1手段で該指定した光網終端装置の識別情報を受信したと判定した後、次に指定した送信許可位相までの間に該指定した光網終端装置からの送出データに異常が検出されたとき、該指定した光網終端装置に対して送信許可時間幅低下命令を送信する第2手段と、
該第2手段で送信許可時間幅低下命令を送信した後、該指定した光網終端装置の識別情報を受信し且つ次に指定した送信許可位相までの間に、別の光網終端装置の識別情報も受信したとき、該別の光網終端装置に対して送信停止命令を送信すると共に該指定した光網終端装置に対する送信許可時間幅を元に戻す命令を送信する第3手段と、
を備えたことを特徴とする光伝送装置。
【図面の簡単な説明】
【００５７】
【図１】本発明に係る光伝送方法及び装置を原理的に示した図である。
【図２】本発明に係る光伝送方法及び装置の実施例[1]を示したブロック図である。
【図３】本発明の実施例[1]の正常時の動作例（類型A）を示したタイムチャート図である。
【図４】本発明の実施例[1]の異常時の動作例[1]（類型B）を示したタイムチャート図である。
【図５】本発明の実施例[1]の異常時の動作例[2]（類型C）を示したタイムチャート図である。
【図６】本発明に係る光伝送方法及び装置の実施例[2]を示したブロック図である。
【図７】実施例[2]の異常時の動作例（類型D）を示したタイムチャート図である。
【図８】本発明に係る光伝送方法及び装置の実施例[3]を示したブロック図である。
【図９】実施例[3]の異常時の動作例（類型E）を示したタイムチャート図である。
【図１０】一般的なPON伝送システムの構成例を示したブロック図である。
【図１１】従来の光加入者終端装置(OLT)の位相監視方式を示した図である。
【符号の説明】
【００５８】
1  多重化(MUX)部
2  電気／光変換(E/O)部
3, 20  カプラ
4  光／電気変換(O/E)部
5  メインカウンタ
6  デコーダ
7  ONU識別部
8  インバータ
9  位相異常実行部
10  CRCチェック部
11  時間幅制御部
OLT  光加入者終端装置
ONU, ONUa, ONUb, ONUx  光終端装置
ODS  光検出信号
PAR  受信位相許容範囲
NAPAR  受信位相許容範囲外
ta, tb, tc  送信許可位相
図中、同一符号は同一又は相当部分を示す。
【図１】
2008042809.tif 000004
【図２】
2008042809.tif 000005
【図３】
2008042809.tif 000006
【図４】
2008042809.tif 000007
【図５】
2008042809.tif 000008
【図６】
2008042809.tif 000009
【図７】
2008042809.tif 000010
【図８】
2008042809.tif 000011
【図９】
2008042809.tif 000012
【図１０】
2008042809.tif 000013
【図１１】
2008042809.tif 000014